(57)【要約】【課題】  内部機器にかかる応力を緩和することができ、また、弾性振動の減衰を早くし、弾性振動を早く消失させることを可能にする取り付け装置、その取り付け装置を備えた表示装置および情報処理装置を提供する。【解決手段】  本発明の取り付け装置は、筐体に取り付けられる支持体１５と、内部機器に接合される接合部１７と、接合部１７と支持体１５とを連絡し、接合部１７に比較して幅狭とされかつ、支持体１５に片持ち保持された腕部１８とを備える緩衝部１６とを含む。【選択図】  図２
2006307974.tif 000002
【特許請求の範囲】
【請求項１】
筐体に内部機器を取り付ける装置であって、
前記筐体に取り付けられる支持体と、
前記内部機器に接合される接合部と、前記接合部と前記支持体とを連絡し、該接合部に比較して幅狭とされかつ、前記支持体に片持ち保持された腕部とを備える緩衝部とを含む、取り付け装置。
【請求項２】
前記緩衝部は、前記腕部を除き前記支持体から離間しており、前記緩衝部と前記支持体との間に嵌合される弾性材をさらに含む、請求項１に記載の取り付け装置。
【請求項３】
前記弾性材は、天然ゴム、クロロプレンゴム、スチレン−ブタジエンゴム、アクリロニトリル−ブタジエンゴム、ブタジエンゴム、イソプレンゴム、ブチルゴム、エチレン−プロピレンゴム、アクリルゴム、ウレタンゴムから選択される硬質ゴムである、請求項２に記載の取り付け装置。
【請求項４】
前記内部機器は、表示モジュールまたはディスクドライブ装置または光ピックアップ装置であり、前記取り付け装置は、前記表示モジュールまたはディスクドライブ装置または光ピックアップ装置を前記筐体内に収容配置するためのブラケットとして構成される、請求項１に記載の取り付け装置。
【請求項５】
筐体と、表示モジュールと、前記表示モジュールを前記筐体に取り付ける取り付け装置とを備える表示装置であって、前記取り付け装置が、
前記筐体に取り付けられる支持体と、
前記内部機器に接合される接合部と、前記接合部と前記支持体とを連絡し、該接合部に比較して幅狭とされかつ、前記支持体に片持ち保持された腕部とを備える緩衝部とを含む、表示装置。
【請求項６】
前記緩衝部は、前記腕部を除き前記支持体から離間しており、前記緩衝部と前記支持体との間に嵌合される弾性材をさらに含む、請求項５に記載の表示装置。
【請求項７】
前記取り付け装置は、前記表示装置を回転可能に支持するヒンジ装置の一部のブラケットとして構成される、請求項５に記載の表示装置。
【請求項８】
筐体と、表示モジュール、ディスクドライブ装置および光ピックアップ装置からなる群から選択された内部機器と、前記内部機器を前記筐体に取り付ける取り付け装置とを含む情報処理装置であって、前記取り付け装置が、
前記筐体に取り付けられる支持体と、
前記内部機器に接合される接合部と、前記接合部と前記支持体とを連絡し、該接合部に比較して幅狭とされかつ、前記支持体に片持ち保持された腕部とを備える緩衝部とを含む、情報処理装置。
【請求項９】
前記取り付け装置の前記緩衝部は、前記腕部を除き前記支持体から離間しており、前記緩衝部と前記支持体との間に嵌合される弾性材をさらに含む、請求項８に記載の情報処理装置。
【発明の詳細な説明】
【技術分野】
【０００１】
本発明は、表示装置や情報処理装置が衝撃やねじり応力を受けた際の、それら装置内に収容される表示モジュールやディスクドライブ装置などの内部機器にかかる応力を緩和する取り付け装置、その取り付け装置を備えた表示装置および情報処理装置に関する。
【背景技術】
【０００２】
ノートブック型パーソナル・コンピュータ、電子辞書、ＰＤＡ（Personal digital assistant）、携帯電話は、筐体を構成するリア・カバーおよびベゼル・カバーと、自由に回転可能に支持するヒンジ装置と、表示部を備える表示モジュールとを含んで構成される表示装置を備えている。この表示装置は、リア・カバーとヒンジ装置とをねじ止めして固定し、また、ヒンジ装置と表示モジュールとをねじ止めして固定することにより、表示モジュールをリア・カバーに固定するとともに、ヒンジ装置により回転可能に支持されている。
【０００３】
特に、ノートブック型のパーソナル・コンピュータ、電子辞書、ＰＤＡにおいて、近年の軽量化および薄型化により、表示装置自体の剛性や強度が低下し、耐振動性および耐衝撃性などの製品信頼性の低下や、撓みなどによる表示品質などの低下が問題となっている。そこで、衝撃を緩和し、耐振動性および耐衝撃性などに優れる表示装置が提案されている。
【０００４】
例えば、フロントフレームとモールドフレームを有する面状光源装置とにより液晶パネルを挟み付けて筐体へ組み込むために、フロントフレームとモールドフレームの角部に形成される筐体取付部に取付孔を有し、フロントフレームとモールドフレームにおける取付孔の近傍に、取付孔の深さ方向と同じ方向に切欠きが設けられている液晶表示装置が提案されている（特許文献１参照）。この液晶表示装置は、切欠きによって、筐体取付部が水平方向および垂直方向に弾性変形可能となり、外部からの衝撃や振動および撓みなどの外力を筐体取付部の近傍周囲で緩和するものである。
【０００５】
また、有効表示面を露出させる開口を有した金属フレームに収納された表示モジュールと、この表示モジュールを金属フレームに収納配置するためのブラケットを備え、表示モジュールの左右のうちの少なくとも片方の側面にブラケットを固定するための透孔と、透孔の近傍の金属フレームに切欠部を設けた表示装置が提案されている（特許文献２参照）。この表示装置は、一方の側面が金属フレームとブラケットとを密着させるが、他方の側面は、透孔部分が切欠部によって分離され、舌片部を形成し、その舌片部のみがブラケットと密着するため、寸法公差によるがたつきの影響がないという利点を有するものである。
【０００６】
液晶表示板の撓み負担を軽くするため、ベゼルを情報機器本体のキャビネットに固定するためのネジ孔の近傍に、その周囲を弾性変形可能とする変形補助切欠を設けた液晶表示装置が提案されている（特許文献３参照）。この液晶表示装置は、切欠を設けることで、ベゼルのネジ孔の周囲の撓みがベゼル全体に伝わるのを防止するものである。
【０００７】
また、液晶表示パネル、フロントフレーム、モールドフレーム、ランプユニット、導光板、光学シート、反射シート、リアフレーム、駆動用ドライバＩＣを備え、フロントフレームの複数の箇所に、ネジを通すためのマウンティングホールを設け、マウンティングホールの表示面側の近傍に、スリット状の切欠部を設けた表示装置が提案されている（特許文献４参照）。この表示装置も、切欠部を設けることで、マウンティングホールの近傍に応力の伝播を防止することができ、信頼性に優れるとともに、薄型化を実現することができるものである。
【０００８】
さらに、表示装置ではないが、例えば、ハードディスク装置といったディスク装置を取り付ける際に生じる歪みを吸収させるため、切欠を設けた取付け装置が提案されている（特許文献５参照）。この取付け装置は、第１部材としてのシャーシに、第２部材としての下カバーが接する部分の周囲に設けた切欠によって下カバー支持部を形成し、下カバー支持部を第１部材としてのシャーシに対し、弾性支持することにより、第１部材としてのシャーシに伝わる歪みを吸収するものである。
【０００９】
上記の表示装置および取付け装置はいずれも切欠を備え、それら切欠によって形成される部分が、ばね弾性を有するため、表示モジュールやディスクドライブ装置に作用する応力を緩和し、耐振動性および耐衝撃性を与えることができる。しかしながら、上記切欠では、特定方向にのみ弾性変形可能であるため、衝撃を受け、かかる応力が特定方向の場合には充分に緩和することができるが、かかる応力の方向によっては充分に緩和することができないといった問題があった。
【００１０】
また、切欠によって形成される部分は、衝撃を受けると弾性変形し、弾性振動することにより、応力を緩和するが、この弾性振動を減衰させ、消失させるには時間を要する。長時間の振動は、長時間にわたって表示モジュールに撓みを生じさせ、また、ディスクに磁気ヘッドを近接させることによりデータ・アクセスするディスクドライブ装置では、ディスクへの磁気ヘッドの衝突が増大し、ディスク表面を損傷させ、データ・アクセスを不能にするといった問題があった。
【特許文献１】特開平６−２２２３３５号公報
【特許文献２】登録実用新案３０５１３６１号公報
【特許文献３】特開２００２−１１６４３０号公報
【特許文献４】特開２００３−２９５７８９号公報
【特許文献５】特開平１１−３０２０７号公報
【発明の開示】
【発明が解決しようとする課題】
【００１１】
本発明は、上記問題に鑑みなされたものであり、かかる応力がいずれの方向であっても充分に緩和することができる装置、また、充分な応力緩和に加え、弾性振動の減衰を早くし、弾性振動を早く消失させることを可能にする装置を提供することを目的とする。
【課題を解決するための手段】
【００１２】
本発明は、表示装置において、ヒンジ装置の一部であるブラケットと表示モジュールとをねじ止め固定するブラケットのねじ孔部分を、表示モジュールに接合するため、そのねじ孔を備える接合部と、接合部とブラケットとを連絡し、接合部に比較して幅狭とされかつ、ブラケットに片持ち保持された腕部とを備えた構造にすることで、かかる応力がいずれの方向であっても、充分に緩和することができることを見出すことによりなされたものである。接合部と腕部とを備える緩衝部は、腕部を除いてブラケットから離間されており、この緩衝部とブラケットとの間に弾性材を嵌合させることにより、表示モジュールにかかる応力をさらに緩和することができ、また、弾性振動を吸収して弾性振動の減衰を早くし、弾性振動を早く消失させることができることを見出した。上記課題は、本発明の取り付け装置および表示装置および情報処理装置を提供することにより達成することができる。
【００１３】
すなわち、本発明の取り付け装置は、筐体に内部機器を取り付ける取り付け装置であり、筐体に取り付けられる支持体と、内部機器に接合される接合部と、接合部と支持体とを連絡し、接合部に比較して幅狭とされかつ、支持体に片持ち保持された腕部とを備える緩衝部とを含んで構成される。
【００１４】
また、本発明の取り付け装置は、緩衝部が、腕部を除いて支持体から離間しており、緩衝部と支持体との間に弾性材を嵌合させることができる。
【００１５】
上記弾性材は、天然ゴム、クロロプレンゴム、スチレン−ブタジエンゴム、アクリロニトリル−ブタジエンゴム、ブタジエンゴム、イソプレンゴム、ブチルゴム、エチレン−プロピレンゴム、アクリルゴム、ウレタンゴムから選択される硬質ゴムが好ましい。
【００１６】
上記内部機器は、表示モジュールまたはハードディスク装置などのディスクドライブ装置、ＣＤやＤＶＤなどの光学ドライブでデータの記録や再生を行なうためのレーザー光源および受光部を含む光ピックアップを備える光ピックアップ装置またはそれらを含むものとすることができ、本発明の取り付け装置は、表示モジュールまたはディスクドライブ装置または光ピックアップ装置を筐体内に収容配置するためのブラケットとして構成することができる。
【００１７】
本発明では、筐体と、表示モジュールと、表示モジュールを筐体に取り付ける取り付け装置とを備える表示装置を提供することができる。ノートブック型パーソナル・コンピュータ、ＰＤＡ、電子辞書においては、上記ブラケットを、表示装置を回転可能に支持するヒンジ装置の一部として構成することができる。また、本発明では、筐体と、表示モジュール、ディスクドライブ装置および光ピックアップ装置からなる群から選択された内部機器を筐体に取り付ける取り付け装置とを含む情報処理装置を提供することもできる。
【発明の効果】
【００１８】
本発明の取り付け装置を提供することにより、表示モジュールやディスクドライブ装置などの内部機器にかかる応力がいずれの方向であっても充分に緩和することができる。また、弾性材を嵌合させることにより、早い減衰および消失が可能となる。本発明の表示装置および情報処理装置を提供することにより、衝撃やねじり応力を受けた場合に、表示モジュールの、ＬＳＩチップを耐熱性フィルム上に搭載し、樹脂封止したパッケージであるＴＣＰ（Tape Carrier Package）、フレキシブル基板上に液晶駆動用ＬＳＩを実装したＣＯＦ（Chip on flexible）、ガラス、導光板、反射シート、拡散シートなどにかかる応力を充分に緩和することができ、また、ハードディスク装置などのディスクドライブ装置、光ピックアップ装置にかかる応力を充分に緩和することができ、表示装置の品質低下や、表示モジュールおよびディスクや光ピックアップなどの破損による表示装置および情報処理装置の故障を減少させることができる。
【発明を実施するための最良の形態】
【００１９】
以下、本発明を図面に示した具体的な実施の形態に沿って説明するが、本発明は、後述する実施の形態に限定されるものではない。
【００２０】
図１は、本発明の取り付け装置を備える表示装置の分解斜視図である。図１では、筐体としてリア・カバー１０が、また、内部機器として表示モジュール１１が、また、取り付け装置を構成するヒンジ装置１２が示されている。リア・カバー１０は、例えば、ポリスチレン（ＰＳ）系のプラスチック材料、ガラス繊維で強化されたポリカーボネート、アクリロニトリル−ブタジエン−スチレン樹脂（ＡＢＳ樹脂）、マグネシウム合金、アルミニウムなどから成形され、表示モジュール１１を収容する。リア・カバー１０の両側には、ねじなどの締結手段を螺合させるための締結用ねじ孔がそれぞれ設けられている。
【００２１】
表示モジュール１１は、一定の振動方向の光波だけを透過させる偏光フィルタ、液晶、液晶を挟むためのガラス基板、液晶分子を駆動するための透明電極、液晶分子群を一定方向に配列させるための配向膜、ＲＧＢ（赤、青、緑）のカラーを表示するためのカラーフィルタ、液晶層の厚み（ギャップ）を一定にするために充填される樹脂粒子またはシリカ粒子からなるスペーサと、蛍光ランプ、蛍光ランプの光を均一な面光源にする導光板、光を有効に特定方向に向けるための反射シート、広い面全体を均一な明るさにするために、光を散乱、拡散させる拡散シートを含むバックライトとを含んで構成される。この表示モジュール１１の両側にも、ねじを螺合させるための締結用ねじ孔がそれぞれ設けられている。
【００２２】
ヒンジ装置１２は、リア・カバー１０と、表示モジュール１１との間に配設され、リア・カバー１０および表示モジュール１１のそれぞれとねじ止めされる、第１締結用孔１３および第２締結用孔１４とを備えるブラケット１５を含んで構成される。ヒンジ装置１２は、ステンレス鋼や亜鉛合金などの金属材料から製造される。ブラケット１５は、一方に延びる平板とされ、その長さ方向に所定間隔で配列する複数の第１締結用孔１３と、第１締結用孔１３間に設けられた複数の第２締結用孔１４を備えている。複数の第１締結用孔１３は、リア・カバー１０に設けられる各締結用ねじ孔の位置に一致するねじ孔とされており、複数の第２締結用孔１４は、表示モジュール１１に設けられる各締結用ねじ孔の位置に一致するねじ孔とされている。したがって、リア・カバー１０に設けられる複数の締結用ねじ孔のそれぞれと、ブラケット１５の第１締結用孔１３のそれぞれとを位置合わせし、ねじを螺合することにより、ヒンジ装置１２を、リア・カバー１０に取り付けることができる。また、リア・カバー１０に取り付けられたヒンジ装置１２の一部を構成するブラケット１５の複数の第２締結用孔１４のそれぞれと、表示モジュール１１に設けられる複数の締結用ねじ孔のそれぞれとを位置合わせし、ねじを螺合することにより、ヒンジ装置１２に表示モジュール１１を取り付けることができ、これにより、リア・カバー１０に表示モジュール１１を取り付けることができる。このように、ヒンジ装置１２を介してリア・カバー１０に表示モジュール１１を取り付けることにより、リア・カバー１０と表示モジュール１１とを含む表示装置を回転させることができる。
【００２３】
本発明の取り付け装置は、図１では、ヒンジ装置の一部のブラケット１５として構成されており、支持体となるブラケット１５と、緩衝部１６とを含んで構成されている。緩衝部１６は、第２締結用孔１４を備え、この第２締結用孔１４にねじが螺合されることにより表示モジュール１１に取り付けられる接合部１７と、接合部１７とブラケット１５とを連絡し、接合部１７に比較して幅狭とされ、かつ、ブラケット１５に片持ち保持された腕部１８とを備えている。図１に示すように、本発明の取り付け装置を、ヒンジ装置の一部のブラケット１５として構成することで、ヒンジ装置とは別個に設けることなく、応力を緩和することができる。図２を参照して、本発明の取り付け装置を詳細に説明する。
【００２４】
図２は、本発明の取り付け装置をブラケット１５として構成したところを示した図である。図２に示すブラケット１５は、一方に延びる平板とされ、第１締結用孔１３と第２締結用孔１４とが設けられ、第２締結用孔１４が設けられたブラケット１５の部分が、第２締結用孔１４の形状に対応して円形に拡張している。第２締結用孔１４を備える接合部１７と、接合部１７とブラケット１５とを連絡し、接合部１７に比較して幅狭とされ、かつ、ブラケット１５に片持ち保持された腕部１８とを備える緩衝部１６は、第２締結用孔１４の周囲を切り欠くことにより形成することができる。第２締結用孔１４の周囲を切り欠くことにより、この部分の強度が低下するものの、この拡張した構造にすることによって他の部分とほぼ同様の強度を付与することができる。
【００２５】
第２締結用孔１４は、螺合したねじ１９の頭が、ブラケット１５の表面から突出し、図１に示すリア・カバー１０に当接し、リア・カバー１０とブラケット１５との間に、がたつきの原因となる隙間を生じないように、そのねじ１９の頭を収容する収容部を備えている。
【００２６】
図２に示す緩衝部１６は、上述したように、第２締結用孔１４を備え、図１に示す表示モジュール１１に接合される接合部１７と、ブラケット１５と接合部１７とを連絡し、接合部１７に比較して幅狭とされ、かつ、ブラケット１５に片持ち保持された腕部１８とを備える。接合部１７は、図１に示す表示モジュール１１に設けられる締結用ねじ孔と第２締結用孔１４とが位置合わせされ、ねじを螺合することにより表示モジュール１１に固定される。腕部１８は、接合部１７とブラケット１５とを連絡し、接合部１７と同じ厚さではあるが、接合部１７に比較して幅狭で、細長く形成されており、この構造により、弾性変形を可能にしている。例えば、図１に示すリア・カバー１０が衝撃やねじり応力を受けると、リア・カバー１０に取り付けられるブラケット１５に応力が作用するものの、腕部１８が弾性振動することで、接合部１７に取り付けられる表示モジュール１１に作用する応力を緩和することができる。本発明では、腕部１８は、その長さが長く、幅狭のほうが弾性変形しやすいので好ましいが、強度が低下するため、適切な長さおよび幅とされる。
【００２７】
また、腕部１８は、幅狭で、細長く形成されているため、いずれの方向へも弾性変形可能である。これにより、リア・カバー１０のどの部分に衝撃やねじり応力を受けたとしても、腕部１８が弾性変形し、弾性振動して、表示モジュール１１にかかる応力を緩和することができる。
【００２８】
緩衝部１６は、第２締結用孔１４が設けられた部分のすべてに設けられる。本発明では、図１に示す表示モジュール１１の両側にブラケットが取り付けられるが、そのいずれか一方、または、両方を、緩衝部１６を備えるブラケット１５とすることができる。
【００２９】
ノートブック型パーソナル・コンピュータにおいて、ブラケット１５の厚さを約１ｍｍとすれば、緩衝部１６は、同じ約１ｍｍの厚さで、図２に示す形状に、幅約０．８ｍｍにくり抜いて形成することができる。この場合の腕部１８は、適切な弾性変形を与える幅および長さとして、接合部１７より幅狭の、例えば、幅０．６〜０．８ｍｍで、長さ２〜３ｍｍの細長のものとすることができる。
【００３０】
図３は、本発明の取り付け装置をブラケット１５として構成した別の実施形態を示した図である。図３に示すブラケット３０は、図２に示すブラケット１５と同様であるが、腕部３２を除いてブラケット３０から離間された緩衝部３１とブラケット３０との間に弾性材３３が嵌合されている。
【００３１】
本発明では、図２に示すような接合部１７および腕部１８のみの構成であってもよいが、弾性振動のピーク加速度をさらに低減し、また、弾性振動を吸収して、早く減衰および消失させるため、弾性材３３を嵌合させることができる。弾性材３３は、弾性振動を助長せず、適切に吸収するよう、天然ゴム、クロロプレンゴム、スチレン−ブタジエンゴム、アクリロニトリル−ブタジエンゴム、ブタジエンゴム、イソプレンゴム、ブチルゴム、エチレン−プロピレンゴム、アクリルゴム、ウレタンゴムから選択され、硫黄分が多く添加された弾性の小さい硬質ゴムが好ましい。硬質ゴムの硬度は、ＪＩＳ  Ｋ  ６２５３に準拠したデュロメータの中硬さ用のタイプＡで、５０〜７０が好ましい。ちなみに、硬度６０〜７０は、自動車のタイヤの硬度である。
【００３２】
弾性材３３は、接合部３４を取り囲むように接触しており、矢線Ａに示す方向への弾性振動は、弾性の小さい硬質ゴムからなる弾性材３３に吸収されることにより、弾性振動のピーク加速度が低減され、早く減衰および消失する。また、弾性材３３は、矢線Ｂに示す方向への弾性振動に対しても、接合部３４と弾性材３３とが接触し、摩擦抵抗を生じてピーク加速度が低減され、振動が弾性材３３に吸収されて、早く減衰および消失する。したがって、いずれの方向に振動しても、弾性材３３によって吸収し、振動を早く減衰および消失させることができる。
【００３３】
弾性材３３は、複数の緩衝部３１とブラケット３０との間の切り欠きすべてに設けられていてもよいし、一部の緩衝部３１とブラケット３０との間の切り欠きにのみ設けることもできる。また、弾性材３３は、弾性振動を抑制するように制御することができれば、ブラケットと同じ厚さとされていなくてもよく、例えば、ブラケットの半分の厚さや３／４の厚さなどにすることができる。
【００３４】
図４は、本発明の取り付け装置を備える情報処理装置の一部の分解斜視図である。情報処理装置は、中央処理装置（ＣＰＵ）、ＲＯＭやＲＡＭなどのメモリ、コネクタ、モデム、ＬＡＮボードなどを含むが、図４では、ディスクドライブ装置４０と、ディスクドライブ装置４０を取り付けるブラケット４１と、ディスクドライブ装置４０を収容する筐体４２のみが示されている。なお、情報処理装置は、図５に示すように、ＣＰＵ、メモリ、ハードディスク装置、ＣＤドライブ５０、フレキシブル・ディスク・ドライブ５１などを含んで構成される本体５２、表示装置５３、キーボード５４およびマウス５５などの入力装置を含んで構成することができる。図４では、本発明の取り付け装置をブラケット４１として構成し、筐体４２にブラケット４１が取り付けられ、そのブラケット４１上にディスクドライブ装置４０が取り付けられるようになっている。筐体４２は、所定位置に締結用ねじ孔４２ａが設けられ、ディスクドライブ装置４０にも、所定位置に締結用ねじ孔４０ａが設けられている。ブラケット４１には、締結用ねじ孔４２ａに対応した位置に第１締結用孔４３が、また、締結用ねじ孔４０ａに対応した位置に第２締結用孔４４がそれぞれ設けられている。これら第１締結用孔４３および第２締結用孔４４も、ねじ孔とされる。
【００３５】
緩衝部４５は、第２締結用孔４４を備え、ディスクドライブ装置４０に取り付けられる接合部４６と、接合部４６とブラケット４１とを連絡し、接合部４６に比較して幅狭とされ、かつ、ブラケット４１に片持ち保持された腕部４７とを備えており、腕部４７を除いて離間されたブラケット４１と緩衝部４５との間には、弾性材４８が嵌合されている。なお、本発明では、弾性材４８を嵌合していなくてもよい。ブラケット４１にディスクドライブ装置４０を取り付ける場合、ブラケット４１上にディスクドライブ装置４０を配置し、ディスクドライブ装置４０の締結用ねじ孔４０ａのそれぞれと、ブラケット４１の第２締結用孔４４のそれぞれとを位置合わせし、ねじを使用して締結する。また、筐体４２にブラケット４１を取り付ける場合、筐体４２の締結用ねじ孔４２ａのそれぞれと、ブラケット４１の第１締結用孔４３のそれぞれとを位置合わせし、ねじを使用して締結する。
【００３６】
ディスクドライブ装置４０は、例えば、衝撃に弱いハードディスク装置とされ、ハードディスク装置は、磁気ヘッドを近接させてディスクにアクセスする。筐体４２に衝撃を受けた場合、筐体４２に固定されているブラケット４１には直接、衝撃が伝えられる。ディスクドライブ装置４０は、接合部４６に締結され、接合部４６は、弾性変形可能な腕部４７に連続しているため、腕部４７の弾性変形によってかかる応力は緩和される。腕部４７を除いて離間された緩衝部４５とブラケット４１との間には、弾性材４８が嵌合されており、腕部４７の弾性変形によって生じる弾性振動は、弾性材４８によって吸収されることにより、ピーク加速度をさらに低減させることができ、早く減衰および消失させることができる。
【００３７】
図４では、ディスクドライブ装置のみに取り付けた取り付け装置を備える情報処理装置を示し、説明してきたが、本発明の情報処理装置は、図５に示すように、取り付け装置を、表示モジュールとディスクドライブ装置との両方に取り付けた情報処理装置として提供することができる。また、表示モジュールおよびディスクドライブ装置に取り付け装置を取り付けた構成に限定されるものではなく、本発明の取り付け装置は、光ピックアップ装置などの応力を緩和させたい内部機器に取り付け、その内部機器に作用する応力を緩和させることができる。
【００３８】
ここに、図３に示す緩衝部の形状になるように、幅０．８ｍｍでくり抜いた切り欠きに、剪断弾性率が０．４５ＭＰａの硬度５０のアクリロニトリル−ブタジエンゴム（ＮＢＲ）を上記切り欠きと同じ形状で、かつ同じ大きさに成形して弾性材として用い、これを嵌合したブラケット１５を備えるノートブック型パーソナル・コンピュータを使用して、衝撃テストを行った結果を示す。衝撃テストは、ノートブック型パーソナル・コンピュータの表示モジュールに加速度センサを取り付け、コンピュータを閉じた状態で、図１に示すＸ方向に６ｃｍ落下させたときの、加速度を計測することにより行った。なお、弾性振動は、振動加速度を計測することにより、そのピーク加速度の大きさ、減衰の状況、消失までの時間を得ることができる。
【００３９】
図６に、その結果を示す。図６の横軸は、時間（ｍｓ）を示し、縦軸は、加速度（Ｇ）を示す。なお、Ｇは、重力加速度の単位である。図６では、Ａとして、第１締結用孔および第２締結用孔のみを備えたブラケットを用いた場合の結果を示し、Ｂとして、第１締結用孔と、第２締結用孔を備える緩衝部を設けたブラケットを用いた場合の結果を示し、Ｃとして、第１締結用孔と、第２締結用孔を備える緩衝部とを設け、緩衝部とブラケットとの間に弾性材を嵌合させたブラケットを用いた場合の結果をそれぞれ示す。
【００４０】
Ａで表される第１締結用孔および第２締結用孔のみを備えたブラケットの場合、ブラケットに表示モジュールがねじ止めされることにより固定されているため、表示モジュールに衝撃が直接伝えられ、約１５０Ｇものピーク加速度が計測された。しかしながら、Ｂで表される緩衝部を備えたブラケットの場合には、Ａの場合の約１／３の約５０Ｇと計測され、弾性変形可能な腕部により、応力が緩和されることが見出された。このＢで表される緩衝部のみを備えたブラケットの場合、ピーク加速度は低減されるものの、加速度が計測される時間が長く、減衰に時間がかかった。
【００４１】
Ｃで表される緩衝部と弾性材とを備えたブラケットの場合、Ｂで表される緩衝部を備えたブラケットよりわずかに小さいピーク加速度が計測され、応力がより緩和されることが見出された。また、Ｃで表される弾性材を嵌合したブラケットは、加速度０Ｇとなる弾性振動が消失するまでの時間が早く、早く減衰することが見出された。このＣで表される弾性材を嵌合したブラケットは、弾性材がクッション材と同様の効果を与え、それにより、早い減衰および消失を達成している。
【００４２】
本発明では、この取り付け装置を使用して、リア・カバーに表示モジュールを取り付けた表示装置を提供することができ、ノートブック型パーソナル・コンピュータ、電子辞書、ＰＤＡ、携帯電話などに採用することができる。その他、カーナビゲーション・システムやテレビなどにも採用することができる。
【００４３】
また、本発明の取り付け装置は、ディスクドライブ装置を、パーソナル・コンピュータのほか、ハードディスク・レコーダ、オーディオ・プレーヤ、画像ディスク・プレーヤなどに組み込む際に採用することができる。
【００４４】
これまで、本発明の取り付け装置、表示装置および情報処理装置を、図面を参照して詳細に説明してきたが、本発明は上記実施の形態に限定されるものではなく、接合部および腕部はいかなる形状および大きさであってもよく、弾性材は適切に弾性振動を減衰させることができれば、ブラケットと同じ厚さでなくてもよく、弾性材の硬度は採用する機器に応じて適切な硬度のものとすることができる。また、表示モジュールおよびディスクドライブ装置と接合部との接合、ブラケットと筐体との接合を、ねじおよびねじ孔を使用した実施形態のみについて説明してきたが、互いの締結部分の材料が金属材料であれば、溶接によって接合されていてもよく、また、プラスチック材料であれば、溶着することによって接合されてもよい。また、ねじに限らず、リベットなどを用いて固定してもよい。
【産業上の利用可能性】
【００４５】
本発明の取り付け装置は、テレビ、カーナビゲーション・システム、ＣＤプレーヤ、ＤＶＤプレーヤ、ハードディスク・レコーダなどの振動、衝撃、ねじり応力に弱い精密機器に適用可能である。
【図面の簡単な説明】
【００４６】
【図１】本発明の取り付け装置を備える表示装置の分解斜視図。
【図２】本発明の取り付け装置をブラケットとして構成したところを示した図。
【図３】本発明の取り付け装置をブラケットとして構成した別の実施形態を示した図。
【図４】本発明の取り付け装置を備える情報処理装置の一部の分解斜視図。
【図５】本発明の情報処理装置を例示した図。
【図６】本発明の取り付け装置を使用して衝撃テストを実施した結果を示した図。
【符号の説明】
【００４７】
１０…リア・カバー
１１…表示モジュール
１２…ヒンジ装置
１３、４３…第１締結用孔
１４、３５、４４…第２締結用孔
１５、３０、４１…ブラケット
１６、３１、４５…緩衝部
１７、３４、４６…接合部
１８、３２、４７…腕部
１９…ねじ
３３、４８…弾性材
４０…ディスクドライブ装置
４０ａ、４２ａ…締結用ねじ孔
４２…筐体
５０…ＣＤドライブ
５１…フレキシブル・ディスク・ドライブ
５２…本体
５３…表示装置
５４…キーボード
５５…マウス
【図１】
2006307974.tif 000003
【図２】
2006307974.tif 000004
【図３】
2006307974.tif 000005
【図４】
2006307974.tif 000006
【図５】
2006307974.tif 000007
【図６】
2006307974.tif 000008